(57)【要約】【課題】送信部と受信部を含む信号伝送系における不要輻射の低減を図り、消費電力をより効果的に低減する。【解決手段】信号伝送装置１は、タイミングコントローラ４とソースドライバ６とを備え、タイミングコントローラ４からソースドライバ６に伝送路５を介してデータ信号を伝送する。信号伝送装置１は、ソースドライバ６の温度を検出する温度検出部２と、ソースドライバ６の温度に基づいてデータ信号の振幅値を決定する振幅決定部３２と、データ信号の振幅値をタイミングコントローラ４に設定する振幅設定部３３とを備える。タイミングコントローラ４は、振幅設定部３３により設定された振幅値に応じて、データ信号の振幅を調整する振幅調整部４２を備え、振幅調整後のデータ信号を伝送路５を介してソースドライバ６に伝送する。【選択図】図１
2013137423.tif 000002
【特許請求の範囲】
【請求項１】
送信部と受信部とを備え、該送信部から該受信部に伝送路を介してデータ信号を伝送する信号伝送装置であって、
前記受信部の温度を検出する温度検出部と、該温度検出部で検出した前記受信部の温度に基づいて前記データ信号の振幅値を決定する振幅決定部とを備え、
前記送信部は、前記振幅決定部により決定された振幅値に応じて、前記データ信号の振幅を調整する振幅調整部を備え、該振幅調整部で振幅が調整されたデータ信号を前記伝送路を介して前記受信部に伝送することを特徴とする信号伝送装置。
【請求項２】
請求項１に記載の信号伝送装置において、前記データ信号の振幅値と前記受信部の温度とを対応付けたデータテーブルを備え、前記振幅決定部は、前記温度検出部で検出した前記受信部の温度に基づいて、前記データテーブルを参照することにより、前記データ信号の振幅値を決定することを特徴とする信号伝送装置。
【請求項３】
請求項２に記載の信号伝送装置において、前記データテーブルは、前記データ信号の振幅値に対して、前記受信部の温度に加え、さらに、前記送信部と前記受信部との間の伝送距離、前記送信部の種別、前記受信部の種別の少なくとも１つが対応付けられていることを特徴とする信号伝送装置。
【請求項４】
請求項３に記載の信号伝送装置において、前記温度検出部は、さらに、前記送信部の温度を検出し、前記データテーブルは、前記データ信号の振幅値に対して、さらに、前記送信部の温度が対応付けられていることを特徴とする信号伝送装置。
【請求項５】
請求項１〜４のいずれか１項に記載の信号伝送装置を備えた液晶表示装置であって、
前記送信部はタイミングコントローラであり、前記受信部はソースドライバであることを特徴とする液晶表示装置。
【発明の詳細な説明】
【技術分野】
【０００１】
本発明は、信号伝送装置および液晶表示装置に関し、より詳細には、送信部から受信部へ伝送されるデータ信号の振幅を調整できる信号伝送装置および該装置を備えた液晶表示装置に関する。
【背景技術】
【０００２】
最近の液晶テレビは、大画面化、高精細化、高速駆動化されており、視聴者は高画質のコンテンツを大画面で視聴できるようになってきた。このような液晶テレビでは、映像信号に応じて液晶パネルを駆動させるために、タイミングコントローラとソースドライバとを備えている。そして、大画面化、高精細化、高速駆動化に伴い、データ信号の伝送路も長距離化、高速化され、伝送路の数も増加してきている。このためタイミングコントローラとソースドライバとを含む信号伝送系では、大きな不要輻射が発生し、不要輻射対策が必要とされている。
【０００３】
図５は、液晶テレビにおけるコントロール基板とソースドライバ基板とを含む信号伝送系を示す図で、図中、１００はコントロール基板、１０３はソースドライバ基板を示す。コントロール基板１００は、タイミングコントローラ１０１、電源回路１０２を備え、ソースドライバ基板１０３は、データ線１０４、基準電源線１０５、およびソースドライバ１０６を備える。タイミングコントローラ１０１からの伝送ラインはデータ線１０４を介してソースドライバ１０６に接続される。また、電源回路１０２からの伝送ラインは基準電源線１０５を介してソースドライバ１０６に接続される。
【０００４】
図５に示すように、液晶テレビでは、１つのタイミングコントローラ１０１に対して複数のソースドライバ１０６が接続される。つまり、液晶パネルのサイズが大きくなると、ソースドライバ１０６の数が増え、また、タイミングコントローラ１０１とソースドライバ１０６とを接続する伝送路も長距離化される。このため、ソースドライバ１０６の基板および伝送路において大きな不要輻射が発生する。
【０００５】
通常、液晶パネルへのデータ伝送には差動伝送システムが採用されており、データ信号の振幅を下げると、駆動電流が下がり不要輻射を低減することができると考えられる。従って、データ信号の振幅を最小限にすることは不要輻射の低減に効果的であり、さらには駆動電流が下がることで消費電力が低減されるため、省エネの観点からも望ましいと言える。
【０００６】
従来、データ信号の振幅を動的に調整する技術が種々提案されている。例えば、特許文献１には、ケーブル長に応じて変化する信号レベルに対応して、自動的に画像送信側から出力されるデータ信号の振幅を調整するための技術が記載されている。この特許文献１によれば、画像受信側装置は、画像送信側装置からケーブルを介して伝送されるデータ信号のレベルを検出し、検出した信号レベルに応じて画像送信側装置からケーブルに出力されるデータ信号の振幅を制御するための制御信号を発生させる手段と、この制御信号を画像送信側装置に伝送する手段とを備える。画像送信側装置は、画像受信側装置から伝送されてきた制御信号に応じてデータ信号の振幅を制御する振幅制御手段を備える。
【０００７】
また、特許文献２には、送信回路の温度に応じて、送信回路から伝送するデータ信号の振幅を調整する技術が記載されている。
【０００８】
図６は、特許文献２に記載の技術を説明するためのブロック図で、図中、１１０は送信回路を示す。送信回路１１０は、振幅信号と角度変調信号とを出力する信号生成部１１１と、振幅変調部１１６の温度を計測する温度センサ１１２と、温度センサ１１２からの温度情報をＡＤ（アナログ・デジタル）変換してオフセット補償部１１４に出力するＡＤＣ（ＡＤコンバータ）１１３と、温度センサ１１２からの温度情報に基づいてオフセット補償値を算出し信号生成部１１１からの振幅信号に加算するオフセット補償部１１４と、オフセット補償値の加算された振幅信号に応じた電圧を振幅変調部１１６に供給する振幅増幅部１１５と、信号生成部１１１からの角度変調信号を振幅増幅部１１５から供給された電圧で振幅変調して変調信号として出力する振幅変調部１１６とを備える。
【先行技術文献】
【特許文献】
【０００９】
【特許文献１】特開２００１−３３９３１５号公報
【特許文献２】国際公開第２００８／０１５９７０号パンフレット
【発明の概要】
【発明が解決しようとする課題】
【００１０】
上述の液晶テレビの場合、タイミングコントローラおよびソースドライバは温度特性を持っており、伝送系としてデータ信号の最適な振幅は温度によって異なっている。このため温度に応じてデータ信号の振幅を調整できることが望ましいが、従来の液晶テレビでは、図７に示すように、例えば、所定の低温時に合わせて振幅値が固定されていた（この振幅値を振幅設定値１２０という）。
【００１１】
すなわち、タイミングコントローラから伝送されるデータ信号の振幅は所定の低温時に合わせて常に振幅設定値１２０に固定されていた。しかし、動作に支障がない範囲で温度と振幅との関係を見た場合、温度に応じて取り得る最小の振幅値（この最小振幅値を振幅限界値１２１という）は異なっている。図７より、高温時には振幅設定値１２０と振幅限界値１２１との間にマージンがあることが分かる。このためマージン分だけデータ信号の振幅を下げることができると考えられるが、上記のように、従来の液晶テレビでは、温度に係らず常に振幅設定値１２０でデータ信号が伝送されるため、高温時には振幅限界値１２１に対して過剰な振幅になってしまっていた。そして、これに起因して、特に高温時には不要輻射、さらには消費電力が増大してしまうという問題があった。
【００１２】
そして、液晶テレビの場合、前述の図５に示したように、１つのタイミングコントローラ（送信部）に対して複数のソースドライバ（受信部）が接続されるため、特に画面サイズが大きくなると、受信部の配置や周囲環境によって各受信部の温度がばらつく。このため受信部側の温度を検出して振幅調整に反映させたほうが不要輻射の低減にはより有効であり、さらには省エネの観点から望ましいと考えられる。
【００１３】
これに対して、特許文献１に記載の技術は、ケーブル長により変化する信号レベルに応じて信号振幅を調整するものであり、特許文献１は、温度に応じて信号振幅を調整するという考え方を開示するものではない。このため受信部側の温度を検出して振幅調整に反映させることはできない。また、特許文献２に記載の技術は、送信回路が備える振幅変調部の温度を計測し、計測した温度により信号振幅を調整するもので、このような受信部を含む信号伝送系については何ら考慮されていない。従って、受信部側の温度を検出して振幅調整に反映させることはできない。
【００１４】
本発明は、上述のような実情に鑑みてなされたもので、送信部と受信部を含む信号伝送系における不要輻射の低減を図り、消費電力をより効果的に低減することができる信号伝送装置および該装置を備えた液晶表示装置を提供すること、を目的とする。
【課題を解決するための手段】
【００１５】
上記課題を解決するために、本発明の第１の技術手段は、送信部と受信部とを備え、該送信部から該受信部に伝送路を介してデータ信号を伝送する信号伝送装置であって、前記受信部の温度を検出する温度検出部と、該温度検出部で検出した前記受信部の温度に基づいて前記データ信号の振幅値を決定する振幅決定部とを備え、前記送信部は、前記振幅決定部により決定された振幅値に応じて、前記データ信号の振幅を調整する振幅調整部を備え、該振幅調整部で振幅が調整されたデータ信号を前記伝送路を介して前記受信部に伝送することを特徴としたものである。
【００１６】
第２の技術手段は、第１の技術手段において、前記データ信号の振幅値と前記受信部の温度とを対応付けたデータテーブルを備え、前記振幅決定部は、前記温度検出部で検出した前記受信部の温度に基づいて、前記データテーブルを参照することにより、前記データ信号の振幅値を決定することを特徴としたものである。
【００１７】
第３の技術手段は、第２の技術手段において、前記データテーブルは、前記データ信号の振幅値に対して、前記受信部の温度に加え、さらに、前記送信部と前記受信部との間の伝送距離、前記送信部の種別、前記受信部の種別の少なくとも１つが対応付けられていることを特徴としたものである。
【００１８】
第４の技術手段は、第３の技術手段において、前記温度検出部は、さらに、前記送信部の温度を検出し、前記データテーブルは、前記データ信号の振幅値に対して、さらに、前記送信部の温度が対応付けられていることを特徴としたものである。
【００１９】
第５の技術手段は、第１〜第４のいずれか１の技術手段における信号伝送装置を備えた液晶表示装置であって、前記送信部はタイミングコントローラであり、前記受信部はソースドライバであることを特徴としたものである。
【発明の効果】
【００２０】
本発明によれば、受信部（例えばソースドライバ）の温度情報を送信部（例えばタイミングコントローラ）にフィードバックし、受信部の温度情報に基づき送信部側で動的に適切な信号振幅に調整することができるため、受信部と送信部とを含む信号伝送系における不要輻射の低減を図り、消費電力をより効果的に低減することができる。
【図面の簡単な説明】
【００２１】
【図１】本発明の一実施形態に係る信号伝送装置の構成例を示すブロック図である。
【図２】本発明による信号伝送装置を内蔵した液晶テレビの一例を示す図である。
【図３】図１に示したＬＵＴの一例を示す図である。
【図４】本発明による振幅設定値と振幅限界値との関係の一例を説明するための図である。
【図５】液晶テレビにおけるコントロール基板とソースドライバ基板とを含む信号伝送系を示す図である。
【図６】特許文献２に記載の技術を説明するためのブロック図である。
【図７】従来の振幅設定値と振幅限界値との関係を説明するための図である。
【発明を実施するための形態】
【００２２】
以下、添付図面を参照しながら、本発明の信号伝送装置および該装置を備えた液晶表示装置に係る好適な実施の形態について説明する。
【００２３】
図１は、本発明の一実施形態に係る信号伝送装置の構成例を示すブロック図で、図中、１は信号伝送装置を示す。信号伝送装置１は、温度検出部２、制御部３、タイミングコントローラ４、伝送路５、ソースドライバ６、および液晶パネル７を備える。そしてさらに、温度検出部２は、ＡＤＣ（アナログ・デジタルコンバータ）２１、サーミスタ２２を備え、制御部３は、ＬＵＴ（ルックアップテーブル）３１、振幅決定部３２、振幅設定部３３、および映像処理部３４を備え、タイミングコントローラ４は、振幅設定保持部４１、振幅調整部４２、表示処理部４３、およびトランスミッタ４４を備える。
【００２４】
この信号伝送装置１は、図２に示すような液晶テレビ１０に内蔵されており、液晶テレビ１０は、信号伝送装置１が備えるタイミングコントローラ４、ソースドライバ６（および図示しないゲートドライバ）により液晶パネル７を駆動させ、所望の映像を表示させることができる。一般に液晶パネルはアレイ基板および対向基板間に液晶層を挟持した構造を有する。例えば、アクティブマトリクス型の液晶パネルでは、アレイ基板が、マトリクス状に配置される複数の画素電極、複数の画素電極の行に沿って配置される複数のソース線、複数の画素電極の列に沿って配置される複数のゲート線、およびゲート線を介して駆動されソース線を画素電極に接続する薄膜トランジスタ等からなる複数の画素スイッチング素子を有する。また、対向基板が、アレイ基板側に設けられた複数の画素電極に対向する共通電極およびカラーフィルタを有する。
【００２５】
図１の例において、液晶テレビ１０にＴＶチューナ（図示せず）を介して入力された映像信号は、制御部３の映像処理部３４に入力される。映像処理部３４では、入力された映像信号に対して所定の映像処理を施して、タイミングコントローラ４の表示処理部４３に出力する。表示処理部４３では、映像処理部３４からの映像信号に基づいて表示用のデータ信号を生成する。振幅調整部４２では、振幅設定保持部４１に保持されたデータ信号の振幅値に応じた電圧を出力する。トランスミッタ４４は、振幅調整部４２から出力された電圧により、表示処理部４３で生成されたデータ信号の振幅を変調し、振幅変調後のデータ信号を、伝送路５を介してソースドライバ６に伝送する。
【００２６】
タイミングコントローラ４（トランスミッタ４４）からのデータ信号はソースドライバ６に入力される。ソースドライバ６は、入力されたデータ信号に基づいて、ソース線を通じて、液晶パネル７のサブ画素（Ｒ，Ｇ，Ｂ）ごとに印加電圧を加え、映像信号に応じた映像を液晶パネル７に表示させる。なお、液晶パネル７の駆動には、ゲートドライバも必要であるが、説明の便宜上、図示を省略するものとする。
【００２７】
本発明の主たる目的は、送信部と受信部を含む信号伝送系における不要輻射の低減を図り、消費電力をより効果的に低減することにある。このための構成として、信号伝送装置１は、本発明の受信部の一例であるソースドライバ６の温度を検出する温度検出部２と、温度検出部２で検出したソースドライバ６の温度に基づいてデータ信号の振幅値を決定する振幅決定部３２とを備える。タイミングコントローラ４は、本発明の送信部の一例であり、振幅決定部３２により決定された振幅値に応じて、データ信号の振幅を調整する振幅調整部４２を備え、振幅調整部４２で振幅が調整されたデータ信号を、伝送路５を介してソースドライバ６に伝送する。
【００２８】
上記構成により、ソースドライバ６（受信部）の温度情報をタイミングコントローラ４（送信部）にフィードバックし、ソースドライバ６の温度情報に基づきタイミングコントローラ４側で動的に適切な信号振幅に調整することができるため、ソースドライバ６、伝送路５、およびタイミングコントローラ４を含む信号伝送系における不要輻射の低減を図り、消費電力をより効果的に低減することができる。
【００２９】
図１に基づき信号伝送装置１の構成例について具体的に説明する。この信号伝送装置１としては、前述の図５に示したように、１つのタイミングコントローラに対して複数のソースドライバが接続される構成を例示することができる。なお、図１に例示するソースドライバ６は複数のソースドライバ（以下、複数のソースドライバ６または各ソースドライバ６ともいう）で構成されているものとする。温度検出部２は、ソースドライバ６の温度を計測するサーミスタ２２と、サーミスタ２２で計測した温度情報をＡＤ変換するＡＤＣ２１とを備える。このＡＤＣ２１から出力された温度情報は、制御部３の振幅決定部３２に入力される。ここで、温度検出部２がソースドライバ６の温度を検出するタイミングとしては、例えば、所定時間毎に定期的に行うようにすればよい。
【００３０】
なお、サーミスタ２２の設置場所は、ソースドライバ６の温度を計測できる場所であれば、特に限定されるものではないが、例えば、複数のソースドライバ６に対してサーミスタ２２を個々に設置し、各ソースドライバ６の温度を計測してもよい。あるいは、所定箇所（例えば、中央および両端など）のソースドライバ６に対してサーミスタ２２を設置し、所定箇所以外のソースドライバ６の温度については所定箇所のソースドライバ６の温度に基づき線形補間などの方法で推定するようにしてもよい。温度検出部２は、サーミスタ２２による温度計測結果に基づいて、制御部３に対して、各ソースドライバ６の個々の温度、あるいは、各ソースドライバ６の個々の温度を平均した平均値、などを温度情報として出力する。
【００３１】
制御部３において、ＬＵＴ３１は、後述の図３に示すように、タイミングコントローラ４から伝送されるデータ信号の振幅値とソースドライバ６の温度とを対応付けたデータテーブルである。振幅決定部３２は、温度検出部２で検出したソースドライバ６の温度に基づいて、ＬＵＴ３１を参照することにより、タイミングコントローラ４から伝送されるデータ信号の振幅値を決定する。なお、各ソースドライバ６の個々の温度を取得した場合、振幅決定部３２は、ＬＵＴ３１から、ソースドライバ毎に個別にデータ信号の振幅値を決定する。この場合には各ソースドライバ６とデータ信号の振幅値とを対応付けておく。また、各ソースドライバ６の温度の平均値を取得した場合、振幅決定部３２は、ＬＵＴ３１から、各ソースドライバ６に共通のデータ信号の振幅値を決定する。そして、振幅設定部３３は、振幅決定部３２で決定したデータ信号の振幅値をタイミングコントローラ４に設定する。
【００３２】
上記において、振幅決定部３２と振幅設定部３３とを別々に示しているが、振幅設定部３３の機能を振幅決定部３２に持たせ、振幅決定部３２と振幅設定部３３とを一体的に構成するようにしてもよい。
【００３３】
タイミングコントローラ４において、振幅設定保持部４１は、振幅設定部３３により設定されたデータ信号の振幅値を格納するためのメモリである。なお、各ソースドライバ６とデータ信号の振幅値とが対応付けられている場合には、各ソースドライバ６とデータ信号の振幅値とを対応付けて記憶する。振幅調整部４２は、振幅設定保持部４１により保持されたデータ信号の振幅値に応じた電圧を出力する。なお、振幅設定保持部４１と振幅調整部４２とを別々に示しているが、振幅設定保持部４１の機能を振幅調整部４２に持たせ、振幅設定保持部４１と振幅調整部４２とを一体的に構成するようにしてもよい。
【００３４】
そして、トランスミッタ４４は、振幅調整部４２から出力された電圧により、表示処理部４３からのデータ信号の振幅を変調し、振幅変調後のデータ信号を、伝送路５を介してソースドライバ６に伝送する。
【００３５】
ここで、振幅調整部４２は、各ソースドライバ６とデータ信号の振幅値とが対応付けられている場合には、各ソースドライバ６について各々の振幅値に応じた電圧を出力する。また、そうでない場合には、各ソースドライバ６について共通の振幅値に応じた電圧を出力する。トランスミッタ４４は、各ソースドライバ６について各々の振幅値に応じた電圧が入力された場合、各ソースドライバ６に対して各々の振幅値でデータ信号を伝送し、また、各ソースドライバ６について共通の振幅値に応じた電圧が入力された場合、各ソースドライバ６に対して共通の振幅値でデータ信号を伝送する。
【００３６】
そして、ソースドライバ６は、トランスミッタ４４から伝送されたデータ信号に基づいて、液晶パネル７を駆動させ、映像信号に応じた映像を液晶パネル７に表示させる。このようにして、ソースドライバ６の温度情報をタイミングコントローラ４にフィードバックし、ソースドライバ６の温度情報に基づきタイミングコントローラ４側で動的に適切な信号振幅に調整する。これにより、ソースドライバ６、伝送路５、およびタイミングコントローラ４を含む信号伝送系における不要輻射の低減を図り、消費電力をより効果的に低減することができる。
【００３７】
図３は、図１に示したＬＵＴ３１の一例を示す図である。ＬＵＴ３１は、前述したように、振幅決定部３２により参照される。ＬＵＴ３１は、タイミングコントローラ４から伝送されるデータ信号の振幅値（図中、振幅設定値）に対して、ソースドライバ６の温度に加え、さらに、タイミングコントローラ４とソースドライバ６との間の伝送距離、タイミングコントローラ４の種別、ソースドライバ６の種別の少なくとも１つが対応付けられていてもよい。
【００３８】
図３の例では、タイミングコントローラ４の振幅設定値に対して、ソースドライバ６の温度、タイミングコントローラ４とソースドライバ６との間の伝送距離、タイミングコントローラ４の種別、ソースドライバ６の種別が全て対応付けられている。ここで、タイミングコントローラ４の種別あるいはソースドライバ６の種別とは、それぞれ種類の違いを意味し、固有の型式などにより識別することができる。
【００３９】
図３において、ソースドライバ６の温度は、温度検出部２により取得できる。また、タイミングコントローラ４とソースドライバ６との間の伝送距離は、液晶テレビ１０（図２）の画面サイズに依存するため、この画面サイズ（本例では４０インチまたは６０インチ）により決定される。また、タイミングコントローラ４の種別（本例ではＡまたはＢ）およびソースドライバ６の種別（本例ではＡまたはＢ）は、液晶テレビ１０の仕様により決定される。これらの伝送特性、すなわち、ソースドライバ６の温度、タイミングコントローラ４とソースドライバ６との間の伝送距離、タイミングコントローラ４の種別、ソースドライバ６の種別のうち、ソースドライバ６の温度以外は既知である。このため、振幅決定部３２は、温度検出部２によりソースドライバ６の温度を取得することにより、ソースドライバ６の温度を含む伝送特性を特定し、これらの伝送特性に基づき、ＬＵＴ３１を参照し、最適な振幅設定値を決定することができる。
【００４０】
図３（Ａ）に示すＬＵＴ３１は、画面サイズ（伝送距離）が“４０インチ”、タイミングコントローラ４の種別が“Ａ”、ソースドライバ６の種別が“Ａ”の液晶テレビに対して適用される。この例では、ソースドライバ６の温度に対して、１００〜５００ｍＶが最適な振幅設定値として決定される。例えば、温度検出部２により取得されたソースドライバ６の温度が“５２℃”であった場合、振幅決定部３２は、ＬＵＴ３１から、“３００ｍＶ”を最適な振幅設定値として決定する。
【００４１】
また、図３（Ｂ）に示すＬＵＴ３１′は、画面サイズ（伝送距離）が“６０インチ”、タイミングコントローラ４の種別が“Ｂ”、ソースドライバ６の種別が“Ｂ”の液晶テレビに対して適用される。この例では、ソースドライバ６の温度に対して、１５０〜５５０ｍＶが最適な振幅設定値として決定される。例えば、温度検出部２により取得されたソースドライバ６の温度が“５２℃”であった場合、振幅決定部３２は、ＬＵＴ３１から、“３５０ｍＶ”を最適な振幅設定値として決定する。
【００４２】
なお、図３（Ａ）、（Ｂ）に示したＬＵＴは一例であり、画面サイズ（４０インチまたは６０インチ）、タイミングコントローラの種別（ＡまたはＢ）、ソースドライバの種別（ＡまたはＢ）の組み合せ毎に、図３（Ａ）、（Ｂ）に示すようなＬＵＴを予め作成しておくことが望ましい。そして、液晶テレビの設計段階等で画面サイズ、タイミングコントローラの種別、ソースドライバの種別が分かった時点で、その液晶テレビに合ったＬＵＴを選択し、選択したＬＵＴを液晶テレビに格納しておけばよい。
【００４３】
また上記では、温度検出部２により受信側のソースドライバ６の温度のみを検出していたが、受信側のソースドライバ６の温度に加え、送信側のタイミングコントローラ４の温度を検出するようにしてもよい。具体的には、タイミングコントローラ４にもサーミスタ２２を設置し、タイミングコントローラ４の温度を検出する。そして、ＬＵＴ３１の伝送特性の項目に、タイミングコントローラ４の温度を加え、このタイミングコントローラ４の温度、ソースドライバ６の温度、タイミングコントローラ４とソースドライバ６との間の伝送距離、タイミングコントローラ４の種別、およびソースドライバ６の種別に基づいて、最適な振幅設定値を決定するようにしてもよい。
【００４４】
図４は、本発明による振幅設定値と振幅限界値との関係の一例を説明するための図である。図中、縦軸はデータ信号の振幅、横軸はソースドライバ６の温度を示し、１１は振幅設定値、１２は振幅限界値を示す。振幅設定値１１は、図３に示したＬＵＴ３１から求めた振幅設定値を示す。また、振幅限界値１２は、ソースドライバ６の温度に応じて取り得る最小の振幅値を示す。
【００４５】
図４から、ソースドライバ６の温度に対して、振幅設定値１１が動的に変更され、振幅限界値１２を超えない範囲で、振幅設定値１１が振幅限界値１２に近い最適な値に調整されていることが分かる。つまり、前述の図７の場合、所定の低温時に合わせて振幅設定値が固定されていたため、高温時では振幅限界値に対して過剰な振幅になっていた。これに対して、図４の例では、図７と比較して、温度に応じて最適な振幅値が設定されているため、高温時でも過剰な振幅になることがない。このため不要輻射の低減を図り、駆動電流が下がることで消費電力の低減を図ることが可能となる。
【符号の説明】
【００４６】
１…信号伝送装置、２…温度検出部、２１，１１３…ＡＤＣ（アナログ・デジタルコンバータ）、２２…サーミスタ、３…制御部、３１…ＬＵＴ（ルックアップテーブル）、３２…振幅決定部、３３…振幅設定部、３４…映像処理部、４，１０１…タイミングコントローラ、４１…振幅設定保持部、４２…振幅調整部、４３…表示処理部、５…伝送路、６，１０６…ソースドライバ、７…液晶パネル、１０…液晶テレビ、１１，１２０…振幅設定値、１２，１２１…振幅限界値、１００…コントロール基板、１０２…電源回路、１０３…ソースドライバ基板、１０４…データ線、１０５…基準電源線、１１０…送信回路、１１１…信号生成部、１１２…温度センサ、１１４…オフセット補償部、１１５…振幅増幅部、１１６…振幅変調部。
【図１】
2013137423.tif 000003
【図２】
2013137423.tif 000004
【図３】
2013137423.tif 000005
【図４】
2013137423.tif 000006
【図５】
2013137423.tif 000007
【図６】
2013137423.tif 000008
【図７】
2013137423.tif 000009